(57)【特許請求の範囲】
【請求項１】
動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示可能な表示手段と、
ユーザの操作に基づいて、前記第１または第２のキー選択画面に表示される前記第１または第２の動作モード設定キーの中の少なくとも一つの設定キーを非表示に変更するカスタマイズ手段と、
前記カスタマイズ手段により第２のキー選択画面に表示される第２の動作モード設定キーのうちの少なくとも１つが非表示に変更された際に、前記非表示に変更された第２の動作モード設定キーと同じ第２のキー選択画面に表示される第２の動作モード設定キーであって、非表示に変更されなかった第２の動作モード設定キーを、その上位階層の画面である前記第１のキー選択画面に表示させ、前記第２のキー選択画面の表示を省略する制御手段と、
を備えたことを特徴とする画像処理装置。
【請求項２】
動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示可能な表示手段と、
ユーザの操作に基づいて、前記第１または第２のキー選択画面に表示される前記第１または第２の動作モード設定キーの中の少なくとも一つの設定キーを非表示に変更するカスタマイズ手段と、
前記カスタマイズ手段により第２のキー選択画面に表示される第２の動作モード設定キーのうちの少なくとも１つが非表示に変更された際に、非表示に変更されなかった第２の動作モード設定キーを、その上位階層の画面である前記第１のキー選択画面に表示させ、前記第２のキー選択画面の表示を省略する制御手段と、
を備え、
前記制御手段は、前記第１のキー選択画面に表示される第２の動作モード設定キーの上位キーである第１の動作モード設定キーを削除して、前記第２の動作モード設定キーを第１のキー選択画面に表示させることを特徴とする画像処理装置。
【請求項３】
動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示可能な表示手段と、
ユーザの操作に基づいて、前記第１または第２のキー選択画面に表示される前記第１または第２の動作モード設定キーの中の少なくとも一つの設定キーを非表示に変更するカスタマイズ手段と、
前記カスタマイズ手段により第２のキー選択画面に表示される第２の動作モード設定キーのうちの少なくとも１つが非表示に変更された際に、非表示に変更されなかった第２の動作モード設定キーを、その上位階層の画面である前記第１のキー選択画面に表示させ、前記第２のキー選択画面の表示を省略する制御手段と、
を備え、
前記カスタマイズ手段により前記第２の動作モード設定キーが非表示に変更された際に、非表示に変更されなかった第２の動作モード設定キーが１つであり、かつ該非表示に変更されなかった第２の動作モード設定キーが押下されたときに遷移する下位階層の第３のキー選択画面が存在するときは、前記制御手段は、前記第２の動作モード設定キーを第１のキー選択画面に表示させることなく、該第２の動作モード設定キーの上位キーである第１の動作モード設定キーが前記第１のキー選択画面において押下されたときに、前記第３のキー選択画面を前記表示手段に表示させることを特徴とする画像処理装置。
【請求項４】
動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示可能な表示手段と、
ユーザの操作に基づいて、前記第１または第２のキー選択画面に表示される前記第１または第２の動作モード設定キーの中の少なくとも一つの設定キーを非表示に変更するカスタマイズ手段と、
前記カスタマイズ手段により第２のキー選択画面に表示される第２の動作モード設定キーのうちの少なくとも１つが非表示に変更された際に、非表示に変更されなかった第２の動作モード設定キーを、その上位階層の画面である前記第１のキー選択画面に表示させ、前記第２のキー選択画面の表示を省略する制御手段と、
を備え、
前記制御手段は、前記非表示に変更されなかった第２の動作モード設定キーの数が、前記第１のキー選択画面に表示可能なキーの数と同じかそれよりも小さい場合に、第２の動作モード設定キーを第１のキー選択画面に表示させることを特徴とする画像処理装置。
【請求項５】
前記制御手段は、前記非表示に変更されなかった第２の動作モード設定キーの数が、前記第１のキー選択画面に表示可能なキーの数よりも大きい場合、複数個の第２の動作モード設定キーの名称を１個の動作モード設定キーの名称として併合表記することにより、第１のキー選択画面に表示される第２の動作モード設定キーの数を減少させる請求項４に記載の画像処理装置。
【請求項６】
動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示可能な表示手段と、
ユーザの操作に基づいて、前記第１または第２のキー選択画面に表示される前記第１または第２の動作モード設定キーの中の少なくとも一つの設定キーを非表示に変更するカスタマイズ手段と、
前記カスタマイズ手段により第２のキー選択画面に表示される第２の動作モード設定キーのうちの少なくとも１つが非表示に変更された際に、非表示に変更されなかった第２の動作モード設定キーを、その上位階層の画面である前記第１のキー選択画面に表示させ、前記第２のキー選択画面の表示を省略する制御手段と、
を備え、
前記制御手段は、前記第２のキー選択画面が最終階層の画面であり、前記非表示に変更されなかった第２の動作モード設定キーが複数個存在し、かつこれらが択一的に選択されるキーである場合、これら複数個の第２の動作モード設定キーを、ワンタッチ操作で他の第２の動作モード設定キーに切り替わる態様で、前記第１のキー選択画面に表示させることを特徴とする画像処理装置。
【請求項７】
動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示手段に表示するステップと、
ユーザの操作に基づいて、前記第１または第２のキー選択画面に表示される前記第１または第２の動作モード設定キーの中の少なくとも一つの設定キーを非表示に変更するカスタマイズステップと、
前記カスタマイズステップにおいて第２のキー選択画面に表示される第２の動作モード設定キーのうちの少なくとも１つが非表示に変更された際に、前記非表示に変更された第２の動作モード設定キーと同じ第２のキー選択画面に表示される第２の動作モード設定キーであって、非表示に変更されなかった第２の動作モード設定キーを、その上位階層の画面である前記第１のキー選択画面に表示させ、前記第２のキー選択画面の表示を省略する制御ステップと、
を備えたことを特徴とする画像処理装置における動作モード設定キーの表示方法。
【請求項８】
動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示手段に表示するステップと、
ユーザの操作に基づいて、前記第１または第２のキー選択画面に表示される前記第１または第２の動作モード設定キーの中の少なくとも一つの設定キーを非表示に変更するカスタマイズステップと、
前記カスタマイズステップにおいて第２のキー選択画面に表示される第２の動作モード設定キーのうちの少なくとも１つが非表示に変更された際に、非表示に変更されなかった第２の動作モード設定キーを、その上位階層の画面である前記第１のキー選択画面に表示させ、前記第２のキー選択画面の表示を省略する制御ステップと、
を備え、
前記制御ステップでは、前記第１のキー選択画面に表示される第２の動作モード設定キーの上位キーである第１の動作モード設定キーを削除して、前記第２の動作モード設定キーを第１のキー選択画面に表示させることを特徴とする画像処理装置における動作モード設定キーの表示方法。
【請求項９】
動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示手段に表示するステップと、
ユーザの操作に基づいて、前記第１または第２のキー選択画面に表示される前記第１または第２の動作モード設定キーの中の少なくとも一つの設定キーを非表示に変更するカスタマイズステップと、
前記カスタマイズステップにおいて第２のキー選択画面に表示される第２の動作モード設定キーのうちの少なくとも１つが非表示に変更された際に、非表示に変更されなかった第２の動作モード設定キーを、その上位階層の画面である前記第１のキー選択画面に表示させ、前記第２のキー選択画面の表示を省略する制御ステップと、
を備え、
前記カスタマイズステップにおいて前記第２の動作モード設定キーが非表示に変更された際に、非表示に変更されなかった第２の動作モード設定キーが１つであり、かつ該非表示に変更されなかった第２の動作モード設定キーが押下されたときに遷移する下位階層の第３のキー選択画面が存在するときは、前記制御ステップでは、前記第２の動作モード設定キーを第１のキー選択画面に表示させることなく、該第２の動作モード設定キーの上位キーである第１の動作モード設定キーが前記第１のキー選択画面において押下されたときに、前記第３のキー選択画面を前記表示手段に表示させることを特徴とする画像処理装置における動作モード設定キーの表示方法。
【請求項１０】
動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示手段に表示するステップと、
ユーザの操作に基づいて、前記第１または第２のキー選択画面に表示される前記第１または第２の動作モード設定キーの中の少なくとも一つの設定キーを非表示に変更するカスタマイズステップと、
前記カスタマイズステップにおいて第２のキー選択画面に表示される第２の動作モード設定キーのうちの少なくとも１つが非表示に変更された際に、非表示に変更されなかった第２の動作モード設定キーを、その上位階層の画面である前記第１のキー選択画面に表示させ、前記第２のキー選択画面の表示を省略する制御ステップと、
を備え、
前記制御ステップでは、前記非表示に変更されなかった第２の動作モード設定キーの数が、前記第１のキー選択画面に表示可能なキーの数と同じかそれよりも小さい場合に、第２の動作モード設定キーを第１のキー選択画面に表示させることを特徴とする画像処理装置における動作モード設定キーの表示方法。
【請求項１１】
前記制御ステップでは、前記非表示に変更されなかった第２の動作モード設定キーの数が、前記第１のキー選択画面に表示可能なキーの数よりも大きい場合、複数個の第２の動作モード設定キーの名称を１個の動作モード設定キーの名称として併合表記することにより、第１のキー選択画面に表示される第２の動作モード設定キーの数を減少させる請求項１０に記載の表示方法。
【請求項１２】
動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示手段に表示するステップと、
ユーザの操作に基づいて、前記第１または第２のキー選択画面に表示される前記第１または第２の動作モード設定キーの中の少なくとも一つの設定キーを非表示に変更するカスタマイズステップと、
前記カスタマイズステップにおいて第２のキー選択画面に表示される第２の動作モード設定キーのうちの少なくとも１つが非表示に変更された際に、非表示に変更されなかった第２の動作モード設定キーを、その上位階層の画面である前記第１のキー選択画面に表示させ、前記第２のキー選択画面の表示を省略する制御ステップと、
を備え、
前記制御ステップでは、前記第２のキー選択画面が最終階層の画面であり、前記非表示に変更されなかった第２の動作モード設定キーが複数個存在し、かつこれらが択一的に選択されるキーである場合、これら複数個の第２の動作モード設定キーを、ワンタッチ操作で他の第２の動作モード設定キーに切り替わる態様で、前記第１のキー選択画面に表示させることを特徴とする画像処理装置における動作モード設定キーの表示方法。
【請求項１３】
動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示手段に表示するステップと、
ユーザの操作に基づいて、前記第１または第２のキー選択画面に表示される前記第１または第２の動作モード設定キーの中の少なくとも一つの設定キーを非表示に変更するカスタマイズステップと、
前記カスタマイズステップにおいて第２のキー選択画面に表示される第２の動作モード設定キーのうちの少なくとも１つが非表示に変更された際に、前記非表示に変更された第２の動作モード設定キーと同じ第２のキー選択画面に表示される第２の動作モード設定キーであって、非表示に変更されなかった第２の動作モード設定キーを、その上位階層の画面である前記第１のキー選択画面に表示させ、前記第２のキー選択画面の表示を省略する制御ステップと、
を画像処理装置のコンピュータに実行させるための動作モード設定キーの表示制御プログラム。
【請求項１４】
動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示手段に表示するステップと、
ユーザの操作に基づいて、前記第１または第２のキー選択画面に表示される前記第１または第２の動作モード設定キーの中の少なくとも一つの設定キーを非表示に変更するカスタマイズステップと、
前記カスタマイズステップにおいて第２のキー選択画面に表示される第２の動作モード設定キーのうちの少なくとも１つが非表示に変更された際に、非表示に変更されなかった第２の動作モード設定キーを、その上位階層の画面である前記第１のキー選択画面に表示させ、前記第２のキー選択画面の表示を省略する制御ステップと、
を画像処理装置のコンピュータに実行させ、
前記制御ステップでは、前記第１のキー選択画面に表示される第２の動作モード設定キーの上位キーである第１の動作モード設定キーを削除して、前記第２の動作モード設定キーを第１のキー選択画面に表示させる処理を前記コンピュータに実行させるための動作モード設定キーの表示制御プログラム。
【請求項１５】
動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示手段に表示するステップと、
ユーザの操作に基づいて、前記第１または第２のキー選択画面に表示される前記第１または第２の動作モード設定キーの中の少なくとも一つの設定キーを非表示に変更するカスタマイズステップと、
前記カスタマイズステップにおいて第２のキー選択画面に表示される第２の動作モード設定キーのうちの少なくとも１つが非表示に変更された際に、非表示に変更されなかった第２の動作モード設定キーを、その上位階層の画面である前記第１のキー選択画面に表示させ、前記第２のキー選択画面の表示を省略する制御ステップと、
を画像処理装置のコンピュータに実行させ、
前記カスタマイズステップにおいて前記第２の動作モード設定キーが非表示に変更された際に、非表示に変更されなかった第２の動作モード設定キーが１つであり、かつ該非表示に変更されなかった第２の動作モード設定キーが押下されたときに遷移する下位階層の第３のキー選択画面が存在するときは、前記制御ステップでは、前記第２の動作モード設定キーを第１のキー選択画面に表示させることなく、該第２の動作モード設定キーの上位キーである第１の動作モード設定キーが前記第１のキー選択画面において押下されたときに、前記第３のキー選択画面を前記表示手段に表示させる処理を前記コンピュータに実行させるための動作モード設定キーの表示制御プログラム。
【請求項１６】
動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示手段に表示するステップと、
ユーザの操作に基づいて、前記第１または第２のキー選択画面に表示される前記第１または第２の動作モード設定キーの中の少なくとも一つの設定キーを非表示に変更するカスタマイズステップと、
前記カスタマイズステップにおいて第２のキー選択画面に表示される第２の動作モード設定キーのうちの少なくとも１つが非表示に変更された際に、非表示に変更されなかった第２の動作モード設定キーを、その上位階層の画面である前記第１のキー選択画面に表示させ、前記第２のキー選択画面の表示を省略する制御ステップと、
を画像処理装置のコンピュータに実行させ、
前記制御ステップでは、前記非表示に変更されなかった第２の動作モード設定キーの数が、前記第１のキー選択画面に表示可能なキーの数と同じかそれよりも小さい場合に、第２の動作モード設定キーを第１のキー選択画面に表示させる処理を前記コンピュータに実行させるための動作モード設定キーの表示制御プログラム。
【請求項１７】
前記制御ステップでは、前記非表示に変更されなかった第２の動作モード設定キーの数が、前記第１のキー選択画面に表示可能なキーの数よりも大きい場合、複数個の第２の動作モード設定キーの名称を１個の動作モード設定キーの名称として併合表記することにより、第１のキー選択画面に表示される第２の動作モード設定キーの数を減少させる処理を前記コンピュータに実行させる請求項１６に記載の表示制御プログラム。
【請求項１８】
動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示手段に表示するステップと、
ユーザの操作に基づいて、前記第１または第２のキー選択画面に表示される前記第１または第２の動作モード設定キーの中の少なくとも一つの設定キーを非表示に変更するカスタマイズステップと、
前記カスタマイズステップにおいて第２のキー選択画面に表示される第２の動作モード設定キーのうちの少なくとも１つが非表示に変更された際に、非表示に変更されなかった第２の動作モード設定キーを、その上位階層の画面である前記第１のキー選択画面に表示させ、前記第２のキー選択画面の表示を省略する制御ステップと、
を画像処理装置のコンピュータに実行させ、
前記制御ステップでは、前記第２のキー選択画面が最終階層の画面であり、前記非表示に変更されなかった第２の動作モード設定キーが複数個存在し、かつこれらが択一的に選択されるキーである場合、これら複数個の第２の動作モード設定キーを、ワンタッチ操作で他の第２の動作モード設定キーに切り替わる態様で、前記第１のキー選択画面に表示させる処理を前記コンピュータに実行させるための動作モード設定キーの表示制御プログラム。
【発明の詳細な説明】
【技術分野】
【０００１】
この発明は、操作パネル部等の表示手段に表示され、動作モードを設定するための複数の動作モード設定キーをユーザに選択させるためのキー選択画面を、ユーザがカスタマイズ可能な画像形成装置等の画像処理装置、同装置における動作モード設定キーの表示方法及び表示制御プログラムに関する。
【背景技術】
【０００２】
近年、ＭＦＰ（Multi Function Peripherals）と称される多機能デジタル画像形成装置等の画像処理装置では、多くの機能が搭載されている。このような画像処理装置では、これら機能の動作モードを設定するための各動作モード設定キーを操作パネル部の画面上に表示したり、階層画面で表示することが行われている。
【０００３】
ユーザの多くは、画像形成装置に搭載された多くの機能の中で基本機能のみを使用するか、あるいは装置を利用する環境やユーザの業務に応じて利用する機能はある程度決まっている。しかし、操作パネル部の画面に表示される動作モード設定キーが多いと、利用したい目的の機能のキーと不必要な機能のキーとが混在して、それらが分かりにくかったり、目的の機能を操作するための操作手順が多くなってしまうといった問題がある。
【０００４】
そのため、利用形態が異なるユーザに対応し、ユーザの利用環境に応じて不必要な動作モード設定キーを表示させないように画面上のキー表示をカスタマイズできる技術が既に開発されている。
【０００５】
具体的には、例えば、図１５（Ｂ）に示す仕上げ設定を行うためのキー選択画面Ｄ１２において、「パンチ」、「中折り」、「仕分け」の各動作モード設定キーを非表示に設定変更してカスタマイズした場合、図１５（Ａ）のキー選択画面Ｄ１１でユーザーが「仕上げキー」を押下すると、図１５（Ｂ）に示すキー選択画面Ｄ１２に遷移し、このキー選択画面Ｄ１２には、「ステープル」、「パンチ」、「中折り」、「仕分け」の各キーのうち、「パンチ」、「中折り」、「仕分け」の３つのキーが非表示になっている（点線で示す）。このキー選択画面Ｄ１２において、「ステープル」キーを押下すると、図１５（Ｃ）に示すステープル設定を行うためのキー選択画面Ｄ１３に遷移する。
【０００６】
このような従来のカスタマイズ技術では、動作モード設定キーを非表示に変更することにより、一つのキー選択画面に表示される動作モード設定キーの数を減らすことが可能である。
【０００７】
また、同じように、操作パネル部の表示をカスタマイズし、不要な機能を削除したり、グレーアウトする技術も知られている（例えば、特許文献１参照）。
【先行技術文献】
【特許文献】
【０００８】
【特許文献１】特開２００７−２４９８６３号公報
【発明の概要】
【発明が解決しようとする課題】
【０００９】
しかしながら、従来の技術では、いくつかの動作モード設定キーを単純に非表示に変更するのみであるので、一つのキー選択画面において表示される動作モード設定キーの数は少なくなるが、いずれかの動作モード設定キーを押したときに下位階層のキー選択画面へと遷移していく際の画面の階層の数はそのまま変化しないため、ユーザはこれらの階層のキー選択画面を経て最終目的の動作モード設定キーにたどり着かなければならず、操作性の点で改善の余地があった。
【００１０】
この発明は、上記実情に鑑みてなされたものであり、使用しない動作モード設定キーを非表示に変更できるのはもとより、キー選択画面の階層の数を減らして操作性を改善した画像処理装置及び同装置における動作モード設定キーの表示方法を提供し、さらには前記方法を画像処理装置のコンピュータに実行させるための表示制御プログラムを提供することを課題としている。
【課題を解決するための手段】
【００１１】
上記課題は、以下の手段によって解決される。
（１）動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示可能な表示手段と、ユーザの操作に基づいて、前記第１または第２のキー選択画面に表示される前記第１または第２の動作モード設定キーの中の少なくとも一つの設定キーを非表示に変更するカスタマイズ手段と、前記カスタマイズ手段により第２のキー選択画面に表示される第２の動作モード設定キーのうちの少なくとも１つが非表示に変更された際に、前記非表示に変更された第２の動作モード設定キーと同じ第２のキー選択画面に表示される第２の動作モード設定キーであって、非表示に変更されなかった第２の動作モード設定キーを、その上位階層の画面である前記第１のキー選択画面に表示させ、前記第２のキー選択画面の表示を省略する制御手段と、を備えたことを特徴とする画像処理装置。
（２）動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示可能な表示手段と、
ユーザの操作に基づいて、前記第１または第２のキー選択画面に表示される前記第１または第２の動作モード設定キーの中の少なくとも一つの設定キーを非表示に変更するカスタマイズ手段と、前記カスタマイズ手段により第２のキー選択画面に表示される第２の動作モード設定キーのうちの少なくとも１つが非表示に変更された際に、非表示に変更されなかった第２の動作モード設定キーを、その上位階層の画面である前記第１のキー選択画面に表示させ、前記第２のキー選択画面の表示を省略する制御手段と、を備え、前記制御手段は、前記第１のキー選択画面に表示される第２の動作モード設定キーの上位キーである第１の動作モード設定キーを削除して、前記第２の動作モード設定キーを第１のキー選択画面に表示させることを特徴とする画像処理装置。
（３）動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示可能な表示手段と、ユーザの操作に基づいて、前記第１または第２のキー選択画面に表示される前記第１または第２の動作モード設定キーの中の少なくとも一つの設定キーを非表示に変更するカスタマイズ手段と、前記カスタマイズ手段により第２のキー選択画面に表示される第２の動作モード設定キーのうちの少なくとも１つが非表示に変更された際に、非表示に変更されなかった第２の動作モード設定キーを、その上位階層の画面である前記第１のキー選択画面に表示させ、前記第２のキー選択画面の表示を省略する制御手段と、を備え、前記カスタマイズ手段により前記第２の動作モード設定キーが非表示に変更された際に、非表示に変更されなかった第２の動作モード設定キーが１つであり、かつ該非表示に変更されなかった第２の動作モード設定キーが押下されたときに遷移する下位階層の第３のキー選択画面が存在するときは、前記制御手段は、前記第２の動作モード設定キーを第１のキー選択画面に表示させることなく、該第２の動作モード設定キーの上位キーである第１の動作モード設定キーが前記第１のキー選択画面において押下されたときに、前記第３のキー選択画面を前記表示手段に表示させることを特徴とする画像処理装置。
（４）動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示可能な表示手段と、ユーザの操作に基づいて、前記第１または第２のキー選択画面に表示される前記第１または第２の動作モード設定キーの中の少なくとも一つの設定キーを非表示に変更するカスタマイズ手段と、前記カスタマイズ手段により第２のキー選択画面に表示される第２の動作モード設定キーのうちの少なくとも１つが非表示に変更された際に、非表示に変更されなかった第２の動作モード設定キーを、その上位階層の画面である前記第１のキー選択画面に表示させ、前記第２のキー選択画面の表示を省略する制御手段と、を備え、前記制御手段は、前記非表示に変更されなかった第２の動作モード設定キーの数が、前記第１のキー選択画面に表示可能なキーの数と同じかそれよりも小さい場合に、第２の動作モード設定キーを第１のキー選択画面に表示させることを特徴とする画像処理装置。
（５）前記制御手段は、前記非表示に変更されなかった第２の動作モード設定キーの数が、前記第１のキー選択画面に表示可能なキーの数よりも大きい場合、複数個の第２の動作モード設定キーの名称を１個の動作モード設定キーの名称として併合表記することにより、第１のキー選択画面に表示される第２の動作モード設定キーの数を減少させる前項４に記載の画像処理装置。
（６）動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示可能な表示手段と、ユーザの操作に基づいて、前記第１または第２のキー選択画面に表示される前記第１または第２の動作モード設定キーの中の少なくとも一つの設定キーを非表示に変更するカスタマイズ手段と、前記カスタマイズ手段により第２のキー選択画面に表示される第２の動作モード設定キーのうちの少なくとも１つが非表示に変更された際に、非表示に変更されなかった第２の動作モード設定キーを、その上位階層の画面である前記第１のキー選択画面に表示させ、前記第２のキー選択画面の表示を省略する制御手段と、を備え、前記制御手段は、前記第２のキー選択画面が最終階層の画面であり、前記非表示に変更されなかった第２の動作モード設定キーが複数個存在し、かつこれらが択一的に選択されるキーである場合、これら複数個の第２の動作モード設定キーを、ワンタッチ操作で他の第２の動作モード設定キーに切り替わる態様で、前記第１のキー選択画面に表示させることを特徴とする画像処理装置。
（７）動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示手段に表示するステップと、ユーザの操作に基づいて、前記第１または第２のキー選択画面に表示される前記第１または第２の動作モード設定キーの中の少なくとも一つの設定キーを非表示に変更するカスタマイズステップと、前記カスタマイズステップにおいて第２のキー選択画面に表示される第２の動作モード設定キーのうちの少なくとも１つが非表示に変更された際に、前記非表示に変更された第２の動作モード設定キーと同じ第２のキー選択画面に表示される第２の動作モード設定キーであって、非表示に変更されなかった第２の動作モード設定キーを、その上位階層の画面である前記第１のキー選択画面に表示させ、前記第２のキー選択画面の表示を省略する制御ステップと、を備えたことを特徴とする画像処理装置における動作モード設定キーの表示方法。
（８）動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示手段に表示するステップと、ユーザの操作に基づいて、前記第１または第２のキー選択画面に表示される前記第１または第２の動作モード設定キーの中の少なくとも一つの設定キーを非表示に変更するカスタマイズステップと、前記カスタマイズステップにおいて第２のキー選択画面に表示される第２の動作モード設定キーのうちの少なくとも１つが非表示に変更された際に、非表示に変更されなかった第２の動作モード設定キーを、その上位階層の画面である前記第１のキー選択画面に表示させ、前記第２のキー選択画面の表示を省略する制御ステップと、を備え、前記制御ステップでは、前記第１のキー選択画面に表示される第２の動作モード設定キーの上位キーである第１の動作モード設定キーを削除して、前記第２の動作モード設定キーを第１のキー選択画面に表示させることを特徴とする画像処理装置における動作モード設定キーの表示方法。
（９）動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示手段に表示するステップと、ユーザの操作に基づいて、前記第１または第２のキー選択画面に表示される前記第１または第２の動作モード設定キーの中の少なくとも一つの設定キーを非表示に変更するカスタマイズステップと、前記カスタマイズステップにおいて第２のキー選択画面に表示される第２の動作モード設定キーのうちの少なくとも１つが非表示に変更された際に、非表示に変更されなかった第２の動作モード設定キーを、その上位階層の画面である前記第１のキー選択画面に表示させ、前記第２のキー選択画面の表示を省略する制御ステップと、を備え、前記カスタマイズステップにおいて前記第２の動作モード設定キーが非表示に変更された際に、非表示に変更されなかった第２の動作モード設定キーが１つであり、かつ該非表示に変更されなかった第２の動作モード設定キーが押下されたときに遷移する下位階層の第３のキー選択画面が存在するときは、前記制御ステップでは、前記第２の動作モード設定キーを第１のキー選択画面に表示させることなく、該第２の動作モード設定キーの上位キーである第１の動作モード設定キーが前記第１のキー選択画面において押下されたときに、前記第３のキー選択画面を前記表示手段に表示させることを特徴とする画像処理装置における動作モード設定キーの表示方法。
（１０）動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示手段に表示するステップと、ユーザの操作に基づいて、前記第１または第２のキー選択画面に表示される前記第１または第２の動作モード設定キーの中の少なくとも一つの設定キーを非表示に変更するカスタマイズステップと、前記カスタマイズステップにおいて第２のキー選択画面に表示される第２の動作モード設定キーのうちの少なくとも１つが非表示に変更された際に、非表示に変更されなかった第２の動作モード設定キーを、その上位階層の画面である前記第１のキー選択画面に表示させ、前記第２のキー選択画面の表示を省略する制御ステップと、を備え、前記制御ステップでは、前記非表示に変更されなかった第２の動作モード設定キーの数が、前記第１のキー選択画面に表示可能なキーの数と同じかそれよりも小さい場合に、第２の動作モード設定キーを第１のキー選択画面に表示させることを特徴とする画像処理装置における動作モード設定キーの表示方法。
（１１）前記制御ステップでは、前記非表示に変更されなかった第２の動作モード設定キーの数が、前記第１のキー選択画面に表示可能なキーの数よりも大きい場合、複数個の第２の動作モード設定キーの名称を１個の動作モード設定キーの名称として併合表記することにより、第１のキー選択画面に表示される第２の動作モード設定キーの数を減少させる前項１０に記載の表示方法。
（１２）動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示手段に表示するステップと、ユーザの操作に基づいて、前記第１または第２のキー選択画面に表示される前記第１または第２の動作モード設定キーの中の少なくとも一つの設定キーを非表示に変更するカスタマイズステップと、前記カスタマイズステップにおいて第２のキー選択画面に表示される第２の動作モード設定キーのうちの少なくとも１つが非表示に変更された際に、非表示に変更されなかった第２の動作モード設定キーを、その上位階層の画面である前記第１のキー選択画面に表示させ、前記第２のキー選択画面の表示を省略する制御ステップと、を備え、前記制御ステップでは、前記第２のキー選択画面が最終階層の画面であり、前記非表示に変更されなかった第２の動作モード設定キーが複数個存在し、かつこれらが択一的に選択されるキーである場合、これら複数個の第２の動作モード設定キーを、ワンタッチ操作で他の第２の動作モード設定キーに切り替わる態様で、前記第１のキー選択画面に表示させることを特徴とする画像処理装置における動作モード設定キーの表示方法。
（１３）動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示手段に表示するステップと、ユーザの操作に基づいて、前記第１または第２のキー選択画面に表示される前記第１または第２の動作モード設定キーの中の少なくとも一つの設定キーを非表示に変更するカスタマイズステップと、前記カスタマイズステップにおいて第２のキー選択画面に表示される第２の動作モード設定キーのうちの少なくとも１つが非表示に変更された際に、前記非表示に変更された第２の動作モード設定キーと同じ第２のキー選択画面に表示される第２の動作モード設定キーであって、非表示に変更されなかった第２の動作モード設定キーを、その上位階層の画面である前記第１のキー選択画面に表示させ、前記第２のキー選択画面の表示を省略する制御ステップと、を画像処理装置のコンピュータに実行させるための動作モード設定キーの表示制御プログラム。
（１４）動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示手段に表示するステップと、ユーザの操作に基づいて、前記第１または第２のキー選択画面に表示される前記第１または第２の動作モード設定キーの中の少なくとも一つの設定キーを非表示に変更するカスタマイズステップと、前記カスタマイズステップにおいて第２のキー選択画面に表示される第２の動作モード設定キーのうちの少なくとも１つが非表示に変更された際に、非表示に変更されなかった第２の動作モード設定キーを、その上位階層の画面である前記第１のキー選択画面に表示させ、前記第２のキー選択画面の表示を省略する制御ステップと、を画像処理装置のコンピュータに実行させ、前記制御ステップでは、前記第１のキー選択画面に表示される第２の動作モード設定キーの上位キーである第１の動作モード設定キーを削除して、前記第２の動作モード設定キーを第１のキー選択画面に表示させる処理を前記コンピュータに実行させるための動作モード設定キーの表示制御プログラム。
（１５）動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示手段に表示するステップと、ユーザの操作に基づいて、前記第１または第２のキー選択画面に表示される前記第１または第２の動作モード設定キーの中の少なくとも一つの設定キーを非表示に変更するカスタマイズステップと、前記カスタマイズステップにおいて第２のキー選択画面に表示される第２の動作モード設定キーのうちの少なくとも１つが非表示に変更された際に、非表示に変更されなかった第２の動作モード設定キーを、その上位階層の画面である前記第１のキー選択画面に表示させ、前記第２のキー選択画面の表示を省略する制御ステップと、を画像処理装置のコンピュータに実行させ、前記カスタマイズステップにおいて前記第２の動作モード設定キーが非表示に変更された際に、非表示に変更されなかった第２の動作モード設定キーが１つであり、かつ該非表示に変更されなかった第２の動作モード設定キーが押下されたときに遷移する下位階層の第３のキー選択画面が存在するときは、前記制御ステップでは、前記第２の動作モード設定キーを第１のキー選択画面に表示させることなく、該第２の動作モード設定キーの上位キーである第１の動作モード設定キーが前記第１のキー選択画面において押下されたときに、前記第３のキー選択画面を前記表示手段に表示させる処理を前記コンピュータに実行させるための動作モード設定キーの表示制御プログラム。
（１６）動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示手段に表示するステップと、ユーザの操作に基づいて、前記第１または第２のキー選択画面に表示される前記第１または第２の動作モード設定キーの中の少なくとも一つの設定キーを非表示に変更するカスタマイズステップと、前記カスタマイズステップにおいて第２のキー選択画面に表示される第２の動作モード設定キーのうちの少なくとも１つが非表示に変更された際に、非表示に変更されなかった第２の動作モード設定キーを、その上位階層の画面である前記第１のキー選択画面に表示させ、前記第２のキー選択画面の表示を省略する制御ステップと、を画像処理装置のコンピュータに実行させ、前記制御ステップでは、前記非表示に変更されなかった第２の動作モード設定キーの数が、前記第１のキー選択画面に表示可能なキーの数と同じかそれよりも小さい場合に、第２の動作モード設定キーを第１のキー選択画面に表示させる処理を前記コンピュータに実行させるための動作モード設定キーの表示制御プログラム。
（１７）前記制御ステップでは、前記非表示に変更されなかった第２の動作モード設定キーの数が、前記第１のキー選択画面に表示可能なキーの数よりも大きい場合、複数個の第２の動作モード設定キーの名称を１個の動作モード設定キーの名称として併合表記することにより、第１のキー選択画面に表示される第２の動作モード設定キーの数を減少させる処理を前記コンピュータに実行させる前項１６に記載の表示制御プログラム。
（１８）動作モードを設定するための１個または複数の第１の動作モード設定キーが表示された第１のキー選択画面と、前記第１のキー選択画面に表示された動作モード設定キーのうちのいずれかのキーが押下されたときに、１個または複数個の第２の動作モード設定キーが表示された下位階層の画面である第２のキー選択画面を表示手段に表示するステップと、ユーザの操作に基づいて、前記第１または第２のキー選択画面に表示される前記第１または第２の動作モード設定キーの中の少なくとも一つの設定キーを非表示に変更するカスタマイズステップと、前記カスタマイズステップにおいて第２のキー選択画面に表示される第２の動作モード設定キーのうちの少なくとも１つが非表示に変更された際に、非表示に変更されなかった第２の動作モード設定キーを、その上位階層の画面である前記第１のキー選択画面に表示させ、前記第２のキー選択画面の表示を省略する制御ステップと、を画像処理装置のコンピュータに実行させ、前記制御ステップでは、前記第２のキー選択画面が最終階層の画面であり、前記非表示に変更されなかった第２の動作モード設定キーが複数個存在し、かつこれらが択一的に選択されるキーである場合、これら複数個の第２の動作モード設定キーを、ワンタッチ操作で他の第２の動作モード設定キーに切り替わる態様で、前記第１のキー選択画面に表示させる処理を前記コンピュータに実行させるための動作モード設定キーの表示制御プログラム。
【発明の効果】
【００１２】
前項（１）に記載の発明によれば、第２のキー選択画面において、少なくとも１つの動作モード設定キーをカスタマイズして非表示に変更した場合、前記非表示に変更した第２の動作モード設定キーと同じ第２のキー選択画面に表示される第２の動作モード設定キーであって、第２のキー選択画面上に残された非表示に変更されない第２の動作モード設定キー、つまり表示中の動作モード設定キーが上位階層の第１のキー選択画面に移動表示され、第２のキー選択画面の表示が省略されるから、選択画面の階層数を減少でき、ユーザはその分最終のキー選択画面へ速く到達することができ、操作性を向上することができる。
【００１３】
前項（２）に記載の発明によれば、第１のキー選択画面に表示される第２の動作モード設定キーの上位キーである第１の動作モード設定キーを削除して、第２の動作モード設定キーが第１のキー選択画面に表示されるから、不要な第１の動作モード設定キーが第１のキー選択画面に表示されるのを回避できる。
【００１４】
前項（３）に記載の発明によれば、非表示に変更されなかった第２の動作モード設定キーが１つであり、かつ該非表示に変更されなかった第２の動作モード設定キーが押下されたときに遷移する下位階層の第３のキー選択画面が存在するときは、前記第２の動作モード設定キーは第１のキー選択画面に表示されることなく、該第２の動作モード設定キーの上位キーである第１の動作モード設定キーが前記第１のキー選択画面において押下されたときに、前記第３のキー選択画面が表示手段に表示されるから、この場合も、第２のキー選択画面の表示を省略でき、選択画面の階層数を減少できる。
【００１５】
前項（４）に記載の発明によれば、非表示に変更されなかった第２の動作モード設定キーの数が、第１のキー選択画面に表示可能なキーの数と同じかそれよりも小さい場合に、第２の動作モード設定キーが第１のキー選択画面に表示される。
【００１６】
前項（５）に記載の発明によれば、第１のキー選択画面のキー表示領域に余裕がなくても、複数個の第２の動作モード設定キーの名称を１個の動作モード設定キーの名称として併合表記することにより、第１のキー選択画面に表示される第２の動作モード設定キーの数を減少させることができる。
【００１７】
前項（６）に記載の発明によれば、第２のキー選択画面が最終階層の画面であり、非表示に変更されなかった第２の動作モード設定キーが複数個存在し、かつこれらが択一的に選択されるキーである場合、これら複数個の第２の動作モード設定キーが、ワンタッチ操作で他の第２の動作モード設定キーに切り替わる態様で、第１のキー選択画面に表示されるから、第２のキー選択画面の表示を省略することができる。
【００１８】
前項（７）に記載の発明によれば、第２のキー選択画面の表示が省略されるから、選択画面の階層数を減少でき、ユーザはその分最終のキー選択画面へ速く到達することができ、操作性を向上することができる。
【００１９】
前項（８）に記載の発明によれば、不要な第１の動作モード設定キーが第１のキー選択画面に表示されるのを回避できる。
【００２０】
前項（９）に記載の発明によれば、第２のキー選択画面の表示を省略でき、選択画面の階層数を減少できる。
【００２１】
前項（１０）に記載の発明によれば、非表示に変更されなかった第２の動作モード設定キーの数が、第１のキー選択画面に表示可能なキーの数と同じかそれよりも小さい場合に、第２の動作モード設定キーが第１のキー選択画面に表示される。
【００２２】
前項（１１）に記載の発明によれば、第１のキー選択画面のキー表示領域に余裕がなくても、複数個の第２の動作モード設定キーの名称を１個の動作モード設定キーの名称として併合表記することにより、第１のキー選択画面に表示される第２の動作モード設定キーの数を減少させることができる。
【００２３】
前項（１２）に記載の発明によれば、複数個の第２の動作モード設定キーを、ワンタッチ操作で他の第２の動作モード設定キーに切り替わる態様で、第１のキー選択画面に表示させるから、第２のキー選択画面の表示を省略することができる。
【００２４】
前項（１３）に記載の発明によれば、第２のキー選択画面において、普段使用しない動作モード設定キーをカスタマイズして非表示に変更した場合、前記非表示に変更した第２の動作モード設定キーと同じ第２のキー選択画面に表示される第２の動作モード設定キーであって、第２のキー選択画面上に残された非表示に変更されない第２の動作モード設定キー、つまり表示中の動作モード設定キーを上位階層の第１のキー選択画面に移動表示し、第２のキー選択画面の表示を省略する処理を、画像処理装置のコンピュータに実行させることができる。
【００２５】
前項（１４）に記載の発明によれば、第１のキー選択画面に表示される第２の動作モード設定キーの上位キーである第１の動作モード設定キーを削除して、第２の動作モード設定キーを第１のキー選択画面に表示する処理を、コンピュータに実行させることができる。
【００２６】
前項（１５）に記載の発明によれば、非表示に変更されなかった第２の動作モード設定キーが１つであり、かつ該非表示に変更されなかった第２の動作モード設定キーが押下されたときに遷移する下位階層の第３のキー選択画面が存在するときは、前記第２の動作モード設定キーを第１のキー選択画面に表示することなく、該第２の動作モード設定キーの上位キーである第１の動作モード設定キーが前記第１のキー選択画面において押下されたときに、前記第３のキー選択画面を表示手段に表示する処理を、コンピュータに実行させることができる。
【００２７】
前項（１６）に記載の発明によれば、非表示に変更されなかった第２の動作モード設定キーの数が、第１のキー選択画面に表示可能なキーの数と同じかそれよりも小さい場合に、第２の動作モード設定キーを第１のキー選択画面に表示する処理を、コンピュータに実行させることができる。
【００２８】
前項（１７）に記載の発明によれば、第１のキー選択画面のキー表示領域に余裕がなくても、複数個の第２の動作モード設定キーの名称を１個の動作モード設定キーの名称として併合表記することにより、第１のキー選択画面に表示される第２の動作モード設定キーの数を減少させる処理を、コンピュータに実行させることができる。
【００２９】
前項（１８）に記載の発明によれば、第２のキー選択画面が最終階層の画面であり、非表示に変更されなかった第２の動作モード設定キーが複数個存在し、かつこれらが択一的に選択されるキーである場合、これら複数個の第２の動作モード設定キーを、ワンタッチ操作で他の第２の動作モード設定キーに切り替わる態様で、第１のキー選択画面に表示させる処理を、コンピュータに実行させることができる。
【図面の簡単な説明】
【００３０】
【図１】この発明の一実施形態に係る画像処理装置としてのＭＦＰの電気的構成を示すブロック図である。
【図２】表示部の画面に表示されている動作モード設定キーの一部を非表示に変更した場合（カスタマイズした場合）の画面遷移図である。
【図３】任意の設定キーを非表示に変更した際に画面に残って表示されている設定キーを上位階層のキー選択画面に移動させる処理の流れを示すフローチャートである。
【図４】この発明の他の実施形態を示すもので、一つの設定キーを残して他の設定キーを非表示に変更した際の仕上げ設定用のキー選択画面を示す図である。
【図５】図４の場合に表示される上位のキー選択画面と、その画面において「仕上げ」キーが選択された場合に遷移する画面を示す図である。
【図６】任意の設定キーを非表示に変更した場合、残って表示されている設定キーが一つの場合の表示処理の流れを示すフローチャートである。
【図７】この発明のさらに他の実施形態を示すもので、任意の設定キーの非表示変更後に残されて表示されている設定キーが２つ以上の場合のキー選択画面の図である。
【図８】図７の場合に表示される上位階層のキー選択画面を説明するための画面図である。
【図９】残って表示されている２つ以上の設定キーの名称を、上位階層のキー選択画面で併合表記した状態を示す図である。
【図１０】２つ以上の設定キーを残して他の動作モード設定キーを非表示に変更した際の表示処理の流れを示すフローチャートである。
【図１１】この発明のさらに他の実施形態を示すもので、残されて表示されている複数の設定キーのいずれかを択一的に選択する必要がある場合の表示画面である。
【図１２】図１１のキー選択画面の上位階層のキー選択画面を示す図である。
【図１３】同じく図１１のキー選択画面の上位階層のキー選択画面を示す図である。
【図１４】任意の設定キーの非表示変更後に、択一的に選択される複数の設定キーが残されて表示される場合の表示処理の流れを示すフローチャートである。
【図１５】任意の設定キーを非表示に変更してカスタマイズする場合の従来の画面遷移図である。
【発明を実施するための形態】
【００３１】
以下、この発明の一実施形態を図面に基づいて説明する。
【００３２】
図１は、この発明の一実施形態に係る画像処理装置としての前述した多機能デジタル画像形成装置（以下、ＭＦＰともいう）の電気的構成を示すブロック図である。
【００３３】
図１において、このＭＦＰは、ＣＰＵ１と、ＲＡＭ２と、ＲＯＭ３と、不揮発性メモリ４と、記憶部（ＨＤＤ）５と、ネットワークカード６と、ファクシミリ（ＦＡＸ）モデム７と、スキャナ部８と、プリンタ部９と、操作パネル部１０とを備えており、これらはバス１１により互いに接続されている。
【００３４】
前記ＣＰＵ１は、ＭＦＰの全体動作を統括的に制御するものであるが、特にこの実施形態では、後述する操作パネル部１０の表示部１２のキー選択画面に表示される複数の動作モード設定キーの中から、ユーザが利用しないキーを非表示に変更してカスタマイズできるカスタマイズ機能や、非表示に変更されていない動作モード設定キーの表示を制御する機能等を有している。
【００３５】
前記ＲＡＭ２は、ＣＰＵ１が動作する際の作業領域を提供するメモリであり、また、ＲＯＭ３は、ＣＰＵ１の動作プログラム等を記憶するメモリである。
【００３６】
前記不揮発メモリ４は、例えば動作モードの設定内容やジョブ履歴情報等を記憶するものである。また、この不揮発メモリ４には、各動作モード画面毎に配列される動作モード設定キーの種類と、その表示あるいは非表示の設定内容、座標位置、名称等の情報が記憶されている。
【００３７】
前記記憶部５は例えばハードディスク装置（ＨＤＤ）等からなり、画像データ等の各種データやアプリケーション等が記憶されている。
【００３８】
前記ネットワークカード６は、ＬＡＮ等のネットワークを介して接続されているユーザ端末（図示せず）等の外部機器との間での通信を司るものである。
【００３９】
前記ＦＡＸモデム７は、電話回線に接続するための変調・復調装置である。
【００４０】
前記スキャナ部８は、原稿画像を読み取って電子データである画像データに変換するものである。
【００４１】
前記プリンタ部９は、スキャナ部８で読み取られた原稿の画像データや、ユーザ端末等の外部機器から送信されてきた画像データ等をプリントするものである。
【００４２】
前記操作パネル部１０は、ユーザが入力操作等に用いるものであり、テンキー、スタートキー、ストップキー等のキーを有するハードキー部１１と、表示部１２とを備えている。この表示部１２は、例えば後述するキー選択画面などの各種操作画面、装置の状態、メッセージ等を表示するものであり、タッチパネル式の液晶等からなる。
【００４３】
表示部１２には、通常はプリント、コピー、ファクシミリなど基本機能の動作モードを設定するための基本画面が表示されているが、この実施形態では、ユーザが基本機能以外の応用機能を使用したいときには、図２（Ａ）に示されるように、「応用設定」タブを選択することにより、応用機能の動作モードを設定するための複数の動作モード設定キーが表示されたキー選択画面Ｄ１１に遷移するものとなされている。
【００４４】
この実施形態では、動作モード設定キーとして、「仕上げ」、「レイアウト」、「小冊子」、「片面／両面」の各動作モード設定キーが表示されている。このキー選択画面Ｄ１１において、例えば「仕上げ」キーを押下すると、図２（Ｂ）に示す下位階層のキー選択画面Ｄ１２に遷移する。このキー選択画面Ｄ１２では、仕上げ設定のための動作モード設定キーとして「ステープル」、「パンチ」、「中折り」、「仕分け」の各キーが表示されている。
【００４５】
このキー選択画面Ｄ１２において、例えば「ステープル」キーを押下すると、図２（Ｃ）に示すさらに下位階層のキー選択画面Ｄ１３に遷移する。このキー選択画面Ｄ１３には、ステープル内容を設定するための動作モード設定キーとして「左２点」、「右２点」、「左上」、「上２点」の各キーが表示されている。
【００４６】
ユーザが任意のキー選択画面において不要な動作モード設定キーを非表示に変更して画面をカスタマイズしたい場合は、カスタマイズ設定モードとし、キー選択画面で非表示に変更したい動作モード設定キーを選択し、図示しない「消去」ボタンあるいは「非表示」ボタンなどを押下することで、行うことができる。カスタマイズされたキー選択画面については、図１５を用いて既に説明したので、詳細な説明は省略する。
【００４７】
この実施形態では、下位層のキー選択画面において動作モード設定キーを非表示にカスタマイズした場合には、非表示に変更されていない、換言すれば表示が継続される設定キーを上位階層のキー選択画面に移動して表示させ、元のキー選択画面の表示を省略することで、階層画面の数を減少させるものとなされている。
【００４８】
例えば図２（Ｂ）の仕上げ設定を行うためのキー選択画面Ｄ１２において、「中折り」、「仕分け」の各キーを破線で示すように非表示に変更した場合、残された「ステープル」、「パンチ」の各キーを、上位階層であるキー選択画面Ｄ１１に移動表示させる。この場合、「ステープル」、「パンチ」の各キーの上位キーである「仕上げ」キーのキー選択画面Ｄ１１における表示については、そのまま残しても良いが、削除するのが望ましい。「ステープル」、「パンチ」の各キーが表示され、「仕上げ」キーはもはや不要であるためである。
【００４９】
図３は、例えばキー選択画面Ｄ１２における少なくとも１つの動作モード設定キーを非表示に変更した際に、画面Ｄ１２に残って表示されている設定キーを上位階層のキー選択画面Ｄ１１に移動表示させる処理の流れを示すフローチャートである。
【００５０】
なお、図３以後のフローチャートに示す処理は、ＭＦＰのＣＰＵ１がＲＯＭ３や記憶部５などの記録媒体に記録された動作プログラムに従って動作することにより実行される。
【００５１】
図３おいて、ステップＳ３０１では、キー選択画面Ｄ１２における動作モード設定キーについて、非表示処理を行いカスタマイズする。
【００５２】
ステップＳ３０２では、キー選択画面Ｄ１２に設定キーが残って表示されているか否かを判断し、残って表示されている動作モード設定キーが存在するのであれば（ステップＳ３０２でＹＥＳ）、ステップＳ３０３では、その設定キーを上位階層のキー選択画面Ｄ１１に移動させて表示する。残って表示されている設定キーが存在しなければ（ステップＳ３０２でＮＯ）、そのまま終了する。
【００５３】
このように、この実施形態においては、非表示に変更設定されず残って表示されている動作モード設定キーが、上位階層のキー選択画面に表示されるので、元のキー選択画面の表示を省略でき、従ってキー選択画面の階層の数を１つ減少でき、ユーザはその分最終のキー選択画面へ速く到達することができ、操作性を向上することができる。
【００５４】
図４および図５は、この発明の他の実施形態を説明するための図であり、図４は、前述した仕上げ設定用のキー選択画面Ｄ１２において、カスタマイズ操作でいくつかの動作モード設定キーを非表示にした場合に、設定キーが一つだけ残って表示されていることを示している。ここでは、「ステープル」キーが一つだけ残って表示されている。
【００５５】
ここで、図４の「ステープル」キーを押下したときに遷移する下位の階層の画面として、図５（Ｂ）に示すステープル設定用のキー選択画面Ｄ１３が存在する場合、図５（Ａ）に示すように、キー選択画面Ｄ１２に残されて表示されている「ステープル」キーを、上位階層のキー選択画面Ｄ１１に表示させないが、「仕上げ」キーが押下されたときには、図４のキー選択画面Ｄ１２を省略して、図５（Ａ）のキー選択画面Ｄ１１から直接に図５（Ｂ）に示すステープル設定用のキー選択画面Ｄ１３に遷移させるようになっている。
【００５６】
この場合も、キー選択画面Ｄ１２の表示が省略されることにより、キー選択画面の階層の数を減少させることができる。
【００５７】
なお、図４のキー選択画面Ｄ１２に残されて表示されている「ステープル」キーを、図５（Ａ）の上位のキー選択画面Ｄ１１に表示させないものとしたが、上位キーである「仕上げ」キーと共にあるいは「仕上げ」キーに代えて、「ステープル」キーをキー選択画面Ｄ１１に表示させても良い。
【００５８】
図６は、図４及び図５に示したように、いくつかの動作モード設定キーを非表示に変更した場合、設定キーが一つだけ残って表示されている場合の画面遷移処理の流れを示すフローチャートである。
【００５９】
図６において、ステップＳ６０１では、ユーザにより指定された動作モード設定キーを非表示に変更処理して、カスタマイズする。ステップＳ６０２では、非表示処理によって残った設定キーが一つだけ存在しているかどうかを判断する。
【００６０】
残った設定キーが２つ以上の場合（ステップＳ６０２でＮＯ）、処理を終了する。一つだけ存在している場合には（ステップＳ６０２でＹＥＳ）、ステップＳ６０３で、残った設定キーの下位に階層があるか否か（その設定キーを押すと下位階層のキー選択画面に遷移するか否か）を判断し、残った設定キーの下位に階層があれば（ステップＳ６０３でＹＥＳ）、ステップＳ６０４では、残って表示されている設定キーが存在する画面Ｄ１２を省略し、該１つだけの設定キーの上位の設定キーが表示されている上位階層のキー選択画面Ｄ１１において、この上位の設定キーが押下されたときには直接に、下位階層の画面Ｄ１３に遷移させるように設定する。ステップＳ６０３において、残った設定キーの下位に階層がなければ（ステップＳ６０３でＮＯ）、そのまま終了する。
【００６１】
図７〜９はこの発明の他の実施形態を説明するための図であり、図７は、前述した仕上げ設定用のキー選択画面Ｄ１２において、例えば「ステープル」キーと「中折り」キーの２つの設定キーを残して、他の動作モード設定キーを非表示に変更した際のキー選択画面を示す。
【００６２】
この時、図８（Ａ）の上位階層のキー選択画面Ｄ１１に表示可能な設定キーの数と、図７の仕上げ設定用のキー選択画面Ｄ１２に残されて表示された設定キーの数とが比較される。仕上げ設定用のキー選択画面Ｄ１２に残されて表示された設定キーの数（この例では２個）が、図８（Ａ）に示す上位階層のキー選択画面Ｄ１１に表示可能な設定キーの数と同じか小さいために、二つの設定キー（「ステープル」キーと「中折り」キー）をキー選択画面Ｄ１１に表示させることができると判断された場合、これら二つの設定キー（「ステープル」キーと「中折り」キー）を図８（Ｂ）に示すように、上位階層のキー選択画面Ｄ１１に移動させて表示させる。
【００６３】
さらに、このように二つの設定キー（「ステープル」キーと「中折り」キー）を上位階層のキー選択画面Ｄ１１に移動させた場合、仕上げ設定用のキー選択画面Ｄ１２にはキーが一つも表示されなくなり意味をなさなくなるので、押下されたときにそのキー選択画面Ｄ１２に遷移する「仕上げ」キーは、図８（Ｂ）のキー選択画面Ｄ１１では、削除する。
【００６４】
また、仕上げ設定用のキー選択画面Ｄ１２に残されて表示された設定キーの数が、上位階層のキー選択画面Ｄ１１に表示可能な設定キーの数より大きいために、仕上げ設定用のキー選択画面Ｄ１２に残って表示されている２つの「ステープル」キー、「中折り」キーを、図９（Ａ）に示すように、上位階層のキー選択画面Ｄ１１に移動して表示させることができない場合、これら２つの設定キーの名称を併合表記した「ステープル／中折り」という表記を、残った設定キーの名称とする。
【００６５】
そして、上位階層のキー選択画面Ｄ１１中に表示可能な文字数と、前記併合表記名称の文字数とを比較し、キー選択画面Ｄ１１中に表示可能な文字数が、その併合表記名称の文字数と同じかそれ以上であれば図９（Ｂ）に示すように、上位階層のキー選択画面Ｄ１１中の「仕上げ」キーの名称を「ステープル／中折り」に変更して表示する。
【００６６】
図１０は、図７〜図９に示したように、仕上げ設定用のキー選択画面Ｄ１２において、例えば「ステープル」キーと「中折り」キーを含む２つ以上の設定キーを残して他の動作モード設定キーを非表示した際の処理の流れを示すフローチャートである。
【００６７】
図１０において、ステップＳ１００１では、ユーザにより指定された設定キーを非表示に変更処理して、カスタマイズする。ステップＳ１００２では、非表示処理によって残った設定キーが２つ以上か否かを判断する。
【００６８】
残った設定キーが２つ以上でなければ（ステップＳ１００２でＮＯ）、処理を終了する。２つ以上であれば（ステップＳ１００２でＹＥＳ）、ステップＳ１００３では、その数と、上位階層のキー選択画面Ｄ１１に表示可能な設定キーの数とを比較することにより、前記残った設定キーを上位階層のキー選択画面Ｄ１１に表示可能な空き領域があるか否かを判断する。
【００６９】
前記残った設定キーを上位階層のキー選択画面Ｄ１１に表示可能な空き領域があれば（ステップＳ１００３でＹＥＳ）、ステップＳ１００４で、非表示処理を行った画面Ｄ１２に遷移する設定キー（図８の例では「仕上げ」キー）の表示をキー選択画面Ｄ１１から削除し、ステップＳ１００５で、前記残った設定キーをキー選択画面Ｄ１１の空き領域に表示して終了する。
【００７０】
前記残った設定キーを上位階層のキー選択画面Ｄ１１に表示可能な空き領域がなければ（ステップＳ１００３でＮＯ）、ステップＳ１００６で、残ったすべての設定キーの名称を併合表記した文字数が、上位階層のキー選択画面Ｄ１１に表示可能なキー名称の文字数に収まる否かを判断する。
【００７１】
残ったすべての設定キーの名称を併合表記した文字数が、キー選択画面Ｄ１１に表示可能なキー名称の文字数に収まるのであれば（ステップＳ１００６でＹＥＳ）、ステップＳ１００７では、非表示処理を行った画面Ｄ１２に遷移するキーの名称（図８の例では「仕上げ」キー）を併合表記に変更したのち、終了する。また、残ったすべての設定キーの名称を併合表記した文字数が、キー選択画面Ｄ１１に表示可能なキー名称の文字数に収まらなければ（ステップＳ１００６でＮＯ）、処理を終了する。
【００７２】
図１１〜１３はこの発明のさらに他の実施形態を説明するための図であり、図１１は、図１２のキー選択画面Ｄ１１において「片面／両面」キーが押下された際に遷移する、用紙の片面／両面の印刷出力を設定するためのキー選択画面Ｄ２２を示している。このキー選択画面Ｄ２２では、「片面→両面」設定キー、「両面→両面」設定キーを残して、他の設定キーが非表示に変更されカスタマイズされている。
【００７３】
この二つの設定キー（「片面→両面」設定キー、「両面→両面」設定キー）は、印刷出力の設定に際して必ずどちらかが択一的に選択されるものである。しかもキー選択画面Ｄ２２は、前記両設定キーが押下されても下位階層のキー選択画面に遷移しない最終階層の画面である。
【００７４】
このような場合には、上位階層の画面である図１２のキー選択画面Ｄ１１の「片面／両面」設定キーを削除する一方、これに代わる設定キーとして、図１３（Ａ），（Ｂ）に示すように、ワンタッチ操作で「片面→両面」設定キーと「両面→両面」設定キーとが切り替わる態様で、設定キーを表示する。つまり、図１３（Ａ）の「両面→両面」設定キーが表示されたキー選択画面Ｄ１１ａにおいて、前記「両面→両面」設定キーの切替部１２１を押下すると図１３（Ｂ）のキー選択画面Ｄ１１ｂに示された「片面→両面」設定キーに切り替わり、「片面→両面」設定キーの切替部１２１を押下すると、図１３（Ａ）のキー選択画面Ｄ１１ａに示された「両面→片面」設定キーに切り替わるものとなされている。
【００７５】
また、「両面→両面」設定キーの本体部分を押下することで、図１１のキー選択画面Ｄ２２が表示されることなく、両面原稿の記録紙両面へのプリントが設定され、「片面→両面」設定キーの本体部分を押下することで、キー選択画面Ｄ２２が表示されることなく、片面原稿の記録紙両面へのプリントが設定される。
【００７６】
このように、用紙の片面／両面の印刷出力を設定するためのキー選択画面Ｄ２２のように、キー選択画面が最終階層の画面であり、該キー選択画面に表示される設定キーが２個存在し、かつこれらが択一的に選択されるキーである場合には、ワンタッチ操作で設定キーが相互に切り替わる態様で、設定キーが上位階層のキー選択画面Ｄ１１に表示されるから、キー選択画面Ｄ２２を表示する必要はなくなり、画面の階層数を減少できる。
【００７７】
なお、図１１〜図１３の例では、最終階層のキー選択画面Ｄ２２に表示される設定キーが２個である場合を示したが、３個以上であっても良い。この場合は、これらの設定キーの表示がワンタッチ操作で順に切り替わる態様で、設定キーを上位階層のキー選択画面に表示すればよい。また、ワンタッチ操作で設定キーの表示を切り替える方法は、実施形態のものに限定されることはなく、例えば、切替部１２１を設けることなく、短時間のうちに２回タッチされたときに切り替えるものとしても良いし、他の如何なる方法であっても良い。
【００７８】
図１４は、図１１〜図１３に示したように、最終階層のキー選択画面に表示される設定キーが複数個存在し、かつこれらが択一的に選択されるキーである場合の表示処理を示すフローチャートである。
【００７９】
図１４において、ステップＳ１３０１では、最終階層のキー選択画面Ｄ２２において、ユーザにより指定された設定キーを非表示に変更処理して、カスタマイズする。ステップＳ１３０２では、非表示処理によって、最終階層のキー選択画面Ｄ２２に例えば「片面→両面」設定キー、「両面→両面」設定キーのような択一な選択を要する設定キーが複数個残っているかどうかを判断する。
【００８０】
残っていなければ（ステップＳ１３０２でＮＯ）、処理を終了する。残っていれば（ステップＳ１３０２でＹＥＳ）、ステップＳ１３０３では、押下されたときにこのキー選択画面Ｄ２２に遷移する上位階層のキー選択画面Ｄ１１の設定キー（図１２の例では「片面／両面」キー）を削除し、ステップＳ１３０４で、一つ上位階層のキー選択画面Ｄ１１に、前記複数個の設定キーの表示をワンタッチ操作で順に切り替えることが可能な設定キーを表示する。
【符号の説明】
【００８１】
１      ＣＰＵ
３      ＲＯＭ
５      記憶部
１０    操作パネル部
１２    表示部
【図１】
0005521472.tif 000002
【図２】
0005521472.tif 000003
【図３】
0005521472.tif 000004
【図４】
0005521472.tif 000005
【図５】
0005521472.tif 000006
【図６】
0005521472.tif 000007
【図７】
0005521472.tif 000008
【図８】
0005521472.tif 000009
【図９】
0005521472.tif 000010
【図１０】
0005521472.tif 000011
【図１１】
0005521472.tif 000012
【図１２】
0005521472.tif 000013
【図１３】
0005521472.tif 000014
【図１４】
0005521472.tif 000015
【図１５】
0005521472.tif 000016